(57)【要約】【課題】機械室内の狭いスペースを効率的に利用して、巻上機に対する作業を行う際の足場を確保できるようにする。【解決手段】巻上機３に近接した位置に、この巻上機３の高さ方向に沿って複数の支柱１１を立設する。そして、隣接する支柱１１間に足場板１２を架設する。各支柱１１には高さ方向の複数の箇所に切り欠き部を設け、各足場板１２の長手方向の両端部には、支柱１１の切り欠き部に係合されるフックを設ける。【選択図】　　　図１
2004142915.tif 000002
【特許請求の範囲】
【請求項１】
エレベータの機械室内で巻上機に対する作業を行うための作業台であって、
前記巻上機を支持する構造物もしくは前記機械室の天井に設けられた構造物のうち少なくとも何れかに固着され、前記巻上機の高さ方向に沿って立設された複数の支柱と、
前記複数の支柱間に脱着可能に架設された足場板とを備えることを特徴とするエレベータ機械室の作業台。
【請求項２】
前記足場板には、その長手方向の両端部にフックが設けられていると共に、
前記複数の支柱には、その高さ方向の複数の箇所に、前記足場板のフックが係合される切り欠き部が設けられていることを特徴とする請求項１に記載のエレベータ機械室の作業台。
【請求項３】
前記複数の支柱は、前記巻上機に近接した位置にそれぞれ立設されていると共に、前記足場板は、前記機械室を平面視したときに、前記複数の支柱によって囲まれる領域の内部に納まるように配設されていることを特徴とする請求項１又は２に記載のエレベータ機械室の作業台。
【請求項４】
エレベータの機械室内で巻上機に対する作業を行うための作業台であって、
前記巻上機の筐体に一体形成され、前記巻上機の高さ方向に沿って配設された複数の踏段を備えることを特徴とするエレベータ機械室の作業台。
【請求項５】
エレベータの機械室内で巻上機に対する作業を行うための作業台であって、
複数の部材が伸縮自在に連結されてなる梯子を備え、この梯子の一端側が前記巻上機の筐体に取り付けられ、他端側が前記巻上機を支持する構造物に対して着脱可能とされていることを特徴とするエレベータ機械室の作業台。
【発明の詳細な説明】
【０００１】
【発明の属する技術分野】
本発明は、エレベータの機械室に設置された巻上機に対して保守点検作業や調整作業を行う際の足場として用いられるエレベータ機械室の作業台に関する。
【０００２】
【従来の技術】
ワイヤロープを主索に用いるロープ式のエレベータは、巻上機の駆動力をトラクションシーブを介してワイヤロープに伝達し、ワイヤロープを送り動作させることで、このワイヤロープに連結された乗りかご及びつり合い重りを昇降させる構造となっている。このようなロープ式のエレベータにおいて、乗りかごやつり合い重りが昇降する昇降路の上部には、通常、機械室と呼ばれるスペースが設けられており、駆動源となる巻上機やエレベータ全体の制御を行う制御盤は、この機械室内に設置されているのが一般的である。
【０００３】
以上のようなロープ式のエレベータでは、巻上機に対する保守点検作業や調整作業が必要となった場合、作業員が機械室内に入ってこれらの作業を行う。このとき、作業員は、巻上機を支持する梁部材の間にプレートを渡し架けたり、任意の場所に脚立等を設置したりといった方法で、作業の足場を確保するようにしていた。
【０００４】
【発明が解決しようとする課題】
しかしながら、近年のエレベータは高速化・大容量化が盛んに進められており、これに伴って、駆動源となる巻上機も大型化される傾向にある。大型の巻上機が駆動源として用いられるようになると、機械室全体のスペースは建屋の構造による制約を受けてさほど大きくできないため、必然的に、作業員が作業を行うためのスペースが狭くなる。このため、作業の足場となる脚立等を設置するスペースが確保できなくなる場合がある。また、巻上機が大型であると、巻上機を支持する梁部材の間に渡し架けたプレートを足場としたのでは、巻上機の上部付近は作業員の手が届かず、作業が困難なものとなる場合がある。
【０００５】
本発明は、以上のような従来の実情に鑑みて創案されたものであって、機械室内の狭いスペースを効率的に利用して、巻上機に対する作業を行う際の足場を確保できるようにしたエレベータ機械室の作業台を提供することを目的としている。
【０００６】
【課題を解決するための手段】
本発明に係るエレベータ機械室の作業台は、機械室内の狭いスペースを効率的に利用して作業用の足場を確保できるように、複数の支柱を巻上機の高さ方向に沿って立設して、これらの間に足場板を着脱可能に架設する構成とした。複数の支柱は、巻上機を支持する構造物に固着するようにしてもよいし、機械室の天井に設けられた構造物に固着するようにしてもよい。
【０００７】
また、他の構成として、巻上機の筐体に複数の踏段を一体形成し、これらの踏段が巻上機の高さ方向に沿って配設されるようにして、エレベータ機械室の作業台とした。
【０００８】
また、更に他の構成として、伸縮自在の梯子の一端側を巻上機の筐体に取り付け、その他端側を巻上機を支持する構造物に対して着脱可能にして、エレベータ機械室の作業台とした。
【０００９】
【発明の実施の形態】
以下、本発明の実施の形態について、図面を参照して詳細に説明する。
【００１０】
（第１の実施形態）
ワイヤロープを主索に用いるロープ式のエレベータでは、図１に示すように、乗りかごやつり合い重りが昇降動作される空間である昇降路１の上部に、機械室２が設けられている。そして、この機械室２内に、乗りかごやつり合い重りを昇降動作させるための駆動源となる巻上機３や、エレベータ全体の制御を司る制御盤４等が設置されている。
【００１１】
巻上機３は、制御盤４の制御に応じて発生するモータの回転力をトラクションシーブに伝達し、このトラクションシーブに掛け渡されたワイヤロープを送り動作させることで、ワイヤロープに連結された乗りかごやつり合い重りを昇降路１内で昇降動作させる。この巻上機３は、例えば井桁状に組まれた機械室ビーム５，６上に支持された状態で、機械室２内に設置されている。
【００１２】
このような巻上機３に対しては、必要に応じて、或いは定期的に保守・点検作業や調整作業を行うことが求められる。この場合、作業員が機械室２内に入り込んで作業を行うことになるが、近年のエレベータの高速化・大容量化に伴い、巻上機３は大型化しており、このため、機械室２内で作業員が作業をするためのスペースが狭くなっている。また、巻上機３の高さも高くなっており、機械室３の床面から巻上機３の上端部までの距離が、およそ２．５〜３．０ｍ程度にまでなっている。
【００１３】
本発明の作業台は、以上のような状況においても作業員が巻上機３に対する保守・点検作業や調整作業を適切に行うことができるように、機械室２内の狭いスペースを効率的に利用して作業用の足場を確保し、高い位置での作業も可能にするものである。
【００１４】
この作業台は、図２に示すように、巻上機３の周りを囲むようにしてこの巻上機３の高さ方向に沿って立設された４本の支柱１１と、図３に示すように、隣接する支柱１１の間に着脱可能に架設された４枚の足場板１２とを備えて構成される。なお、図２は足場板１２が取り外された状態を示す平面図であり、図３は隣接する支柱１１間に足場板１２が架設された状態を示す平面図である。
【００１５】
各支柱１１は、例えば角柱状の金属パイプ材等が所定の長さに切断されてなるものであり、下端側の一側面部を機械室ビーム５に当接させて、アングルや締結ボルト等の締結部材１３によってこの機械室ビーム５に固着されている。これら４本の支柱１１は、巻上機３に近接した位置、具体的には、この巻上機３を囲む矩形領域の４隅にそれぞれ立設されている。また、各支柱１１の側面部には、図４に示すように、足場板１２を架け渡すための切り欠き部１４が、支柱１１の高さ方向の複数の箇所に位置して設けられている。
【００１６】
足場板１２は、例えば滑り止め加工が施された金属板材が箱型に折り曲げ加工されてなるものであり、隣り合う支柱１１を連結するように、これらの間に架け渡される。この足場板１２には、図５に示すように、その長手方向の両端部にフック１５がそれぞれ設けられている。そして、このフック１５を支柱１１に設けられた切り欠き部１４に係合させることで、隣り合う支柱１１間に足場板１２が架け渡されるようになっている。このとき、切り欠き部１４は、支柱１１の高さ方向の複数の箇所に設けられているので、足場板１２のフック１５を係合させる切り欠き部１４を適宜選択することで、足場板１２の高さ位置を作業箇所にあわせた所望の位置に設定することが可能である。
【００１７】
この足場板１２は、巻上機３を囲む矩形領域の４隅に立設された４本の支柱１１間にそれぞれ架設されることで、図３に示したように、巻上機３を四方から囲むような作業用の足場を形成している。ここで、各足場板１２は、機械室２を平面視したときに、４本の支柱１１によって囲まれる矩形領域内に納まるように配設されている。したがって、作業用の足場を確保するために大きな占有スペースが必要とされることはなく、巻上機３の大型化に伴い機械室２内のスペースが相対的に狭まった場合であっても、作業用の足場を確実に確保することができる。
【００１８】
本実施形態の作業台を用いて巻上機３の保守・点検作業や調整作業を行う場合、作業者は機械室２内に入り込んで、巻上機３を囲むように設置された足場板１２上にて作業を行う。このとき、作業箇所が巻上機３の上部付近であり、足場板１２の高さ位置が低いために作業箇所での作業が困難となっている場合には、足場板１２を一旦取り外し、支柱１１のより高い位置に設けられた切り欠き部１４にフック１５を掛け直して、足場板１２をより高い位置に設置する。そして、この高い位置に設置された足場板１２上にて作業を行う。逆に、作業箇所が低い位置にある場合には、足場板１２をより低い位置に設置して作業を行う。このように、作業箇所に応じて足場板１２の高さ位置を変更できるので、巻上機１２が大型化された場合でも、この巻上機１２のあらゆる箇所に対して作業が可能となる。
【００１９】
なお、足場板１２は巻上機３に対する作業を行わない場合にも支柱１１間に常時架設しておくようにしてもよいし、不要な場合には取り外しておくようにしてもよい。機械室２内のスペースが極端に狭くなっている場合には、足場板１２を必要なときのみ支柱１１間に架け渡すようにし、不要な場合には取り外しておくことで、例えば制御盤４に対する作業等を行う場合に足場板１２が作業の邪魔になるといった不都合も回避できる。
【００２０】
また、以上の例では、巻上機３を囲むように４本の支柱１１を立設し、これらの支柱１１間に４枚の足場板１２を架設しているが、支柱１１や足場板１２の数は、巻上機３の作業が必要となる箇所や機械室２内のレイアウト等に応じて適宜変更可能である。
【００２１】
以上のように、本実施形態の作業台では、大きな占有スペースを必要とすることなく、機械室２内の狭いスペースを効率的に利用して作業用の足場を確実に確保できると共に、所望の高さ位置での作業を可能とし、特に比較的高い位置での作業も行えるようにしている。したがって、この作業台を用いて巻上機３に対する保守・点検作業や調整作業を行うようにすれば、巻上機３が大型のものであっても、適切な作業が可能となる。
【００２２】
（第２の実施形態）
本実施形態の作業台は、基本構成を上述した第１の実施形態と同様とし、支柱１１を固定する方法が第１の実施形態とは異なるものである。すなわち、第１の実施形態では、各支柱１１が巻上機３を支持する機械室ビーム５に固着されているのに対し、本実施形態では、図６に示すように、各支柱１１が機械室２の天井に設けられた建屋ビーム７に固着されている。
【００２３】
各支柱１１は、第１の実施形態と同様の金属パイプ材等が所定の長さに切断されてなり、上端側の一側面部を建屋ビーム７に当接させて、アングルや締結ボルト等の締結部材によってこの建屋ビーム７に固着され、巻上機３の高さ方向に沿って立設されている。そして、隣接する支柱１１間に、第１の実施形態と同様の足場板１２がそれぞれ着脱可能に架設されている。
【００２４】
本実施形態の作業台においても、上述した第１の実施形態と同様に、大きな占有スペースを必要とすることなく、機械室２内の狭いスペースを効率的に利用して作業用の足場を確実に確保できると共に、所望の高さ位置での作業を可能とし、特に比較的高い位置での作業も行えるようになっている。したがって、この作業台を用いて巻上機３に対する保守・点検作業や調整作業を行うようにすれば、巻上機３が大型のものであっても、適切な作業が可能となる。また、特に、本実施形態の作業台では、各支柱１１が建屋ビーム７に固着された状態で立設され、空中のスペースを有効利用して作業用の足場を確保する構造となっているので、機械室２内のスペースが極端に狭くなっている場合であっても、巻上機３等に干渉することなく設置が可能で、作業用の足場を確実に確保することができる。
【００２５】
（第３の実施形態）
本実施形態は、巻上機３と一体に作業台が構成されるようにした例であり、巻上機３自体に作業用の足場を設けるようにしたものである。すなわち、本実施形態では、図７に示すように、巻上機３の筐体（フレーム）３ａに、外側に突出する複数の突起が一体形成され、これら筐体３ａに一体形成された複数の突起が、巻上機３に対する保守・点検作業や調整作業を行う際に作業員の足場となる踏段２０とされている。これら複数の踏段２０は、巻上機３の高さ方向に沿って階段状に設けられている。したがって、作業員はこの踏段２０を足場として利用することで巻上機３の上部付近にまで移動することができ、巻上機３の上部付近での作業も適切に行うことができる。
【００２６】
以上のように、本実施形態の作業台においても、大きな占有スペースを必要とすることなく、巻上機３の高い位置での作業も可能な足場を確保でき、特に機械室３内のスペースが極端に狭い場合にきわめて有効である。
【００２７】
（第４の実施形態）
本実施形態は、巻上機３に伸縮自在の梯子を取り付けて、作業時にこの梯子を伸長することで、作業用の足場を確保するようにした例である。すなわち、本実施形態では、図８（ａ）及び図８（ｂ）に示すように、巻上機３の上部付近の筐体（フレーム）３ａに、折り畳み式の梯子３０の一端側が取り付けられている。
【００２８】
折り畳み式の梯子３０は、例えば第１，第２の２つの部材３１，３２がリンク機構３３によって折り畳み可能に連結されてなるものであり、第１の部材３１の先端側が巻上機３の筐体３ａに軸支されることで、巻上機３に取り付けられている。この折り畳み式の梯子３０は、リンク機構３３を支点として第１の部材３１と第２の部材３２とを折り畳むことで、全体の長さを短くできるようになっている。そして、非使用時には、図８（ｂ）に示すように第１の部材３１と第２の部材３２とを折り畳んでストッパ３４等で固定し、コンパクトな状態で巻上機３に取り付けておけるようになっている。
【００２９】
また、この折り畳み式の梯子３０は、第１の部材３１と第２の部材３２とを直線状に展開することで、全体の長さを長くできるようになっている。そして、使用時には、図８（ａ）に示すように第１の部材３１と第２の部材３２とを展開状態として、第２の部材３２の基端側に設けられた係合凹部３２ａを機械室ビーム６に固着されたブラケット３５に係合させることで、巻上機３に対して斜めに架け渡されるようになっている。このように、折り畳み式の梯子３０を巻上機３に対して斜めに架け渡した状態にすれば、巻上機３に対する保守・点検作業や調整作業を行う際に、作業員はこの梯子３０を足場として利用して、巻上げ機３の上部付近での作業も適切に行うことができる。
【００３０】
以上のように、本実施形態の作業台においても、大きな占有スペースを必要とすることなく、巻上機３の高い位置での作業も可能な足場を確保でき、特に機械室３内のスペースが極端に狭い場合にきわめて有効である。
【００３１】
なお、以上の例では、作業員の足場となる梯子３０を折り畳み式に構成したが、梯子３０は伸縮自在に構成されていれば折り畳み式のものに限らず、例えば複数の部材がスライド可能に連結されたスライド式の梯子であってもよい。
【００３２】
【発明の効果】
本発明に係るエレベータ機械室の作業台は、機械室内の狭いスペースを効率的に利用して作業用の足場を確保できるようにしているので、巻上機が大型化して機械室内のスペースが相対的に狭くなった場合であっても、この作業台を用いて巻上機に対する保守・点検作業や調整作業を行うことで適切な作業が可能となり、特に、高い位置での作業も容易となる。
【図面の簡単な説明】
【図１】第１の実施形態を説明する図であり、作業台が設置された機械室内部の様子を模式的に示す側面図。
【図２】前記作業台の足場板が取り外された状態を示す平面図。
【図３】前記作業台の足場板が架設された状態を示す平面図。
【図４】前記作業台を構成する支柱の斜視図。
【図５】前記作業台を構成する足場板の斜視図。
【図６】第２の実施形態を説明する図であり、作業台が設置された機械室内部の様子を模式的に示す側面図。
【図７】第３の実施形態を説明する図であり、巻上機に作業台となる踏段が一体形成された様子を示す側面図。
【図８】第４の実施形態を説明する図であり、（ａ）は作業台となる折り畳み式の梯子が展開状態とされた様子を示す側面図、（ｂ）は前記梯子が折り畳み状態とされた様子を示す側面図。
【符号の説明】
２　機械室
３　巻上機
５，６　機械室ビーム
７　建屋ビーム
１１　支柱
１２　足場板
１４　切り欠き部
１５　フック
２０　踏段
３０　梯子
３１　第１の部材
３２　第２の部材
３３　リンク機構
【図１】
2004142915.tif 000003
【図２】
2004142915.tif 000004
【図３】
2004142915.tif 000005
【図４】
2004142915.tif 000006
【図５】
2004142915.tif 000007
【図６】
2004142915.tif 000008
【図７】
2004142915.tif 000009
【図８】
2004142915.tif 000010